(57)【要約】【課題】  装置収納箱１と配電箱２とを接続していた電線ケーブルを外部露出しないようにすることによって、電線ケーブル接続部からの浸水を防止するとともに、基礎工事を含む設備設置工事を簡略化することによって工事負担の軽減を図る。【解決手段】  電気装置を収納した装置収納部１１と、収納した電気装置との間を送配電線で接続するための端子台を備えた配電端子収納部１２との２部屋を有し、この２部屋を接合して一体の筐体を構成し、それぞれの部屋は独立した蓋１５ａ、１５ｂを持ち、装置収納部１１と配電端子収納部１２との接合部は隔壁１８で仕切られ、この隔壁１８を貫通する送配電線により前記電気装置と端子台とが接続され、送配電線が隔壁１８を貫通する部分は前記筐体内にあって外部露出を防ぎ、装置収納部を防水構造としている。【選択図】      図１ 
2005245102.tif 000002
【特許請求の範囲】
【請求項１】
電気装置を収納した装置収納部と、収納した電気装置との間を送配電線で接続するための端子台を備えた配電端子収納部との２部屋を有し、この２部屋を接合して一体の筐体を構成し、それぞれの部屋は独立した蓋を持ち、前記装置収納部と配電端子収納部との接合部は隔壁で仕切られ、この隔壁を貫通する送配電線により前記電気装置と端子台とが接続され、送配電線が隔壁を貫通する部分は前記筐体内にあって外部露出していないことを特徴とする配電部付電気装置収納筐体。
【請求項２】
前記蓋は装置収納部の上面と配電端子収納部の側面の２個所に設置され、それぞれ独立して開閉可能であることを特徴とする請求項１記載の配電部付電気装置収納筐体。
【請求項３】
前記隔壁を貫通する送配電線は、隔壁に設けられた電線貫通金具を通して配線されていることを特徴とする請求項１記載の配電部付電気装置収納筐体。
【請求項４】
前記隔壁に設けられた電線貫通金具は前記筐体内に密閉配置され、前記装置収納部を防水構造としたことを特徴とする請求項３記載の配電部付電気装置収納筐体。
【請求項５】
前記配電端子収納部の底面に電線貫通金具を設け、この電線貫通金具を通して外部からの入出力配線が端子台に接続されていることを特徴とする請求項１記載の配電部付電気装置収納筐体。
【請求項６】
前記隔壁に電源線のわたり配線用の電線貫通金具を設け、複数台の電気装置の使用を可能としたことを特徴とする請求項１記載の配電部付電気装置収納筐体。
【請求項７】
前記装置収納部に収納された電気装置と、前記配電端子収納部に収納された端子台と、この電気装置及び端子台を収納した請求項１乃至６のいずれか１つに記載の配電部付電気装置収納筐体とを含んで構成されていることを特徴とする電気設備。
【発明の詳細な説明】
【技術分野】
【０００１】
本発明は、高電圧電源装置等の電気装置を収納した装置収納部と、収納した電気装置との間を送配電線で接続するための端子台を備えた配電端子収納部とを有し、この装置収納部と配電端子収納部とを合体させて一つの筐体とした配電部付電気装置収納筐体及び電気設備に関する。
【背景技術】
【０００２】
従来この種の電気設備は、電気装置を収納した装置収納箱と、収納した電気装置との間を送配電線で接続するための端子台を備えた配電端子収納箱（以下、単に配電箱と称する）の２つがそれぞれ離間して独立設置され、この装置収納箱と配電箱との間を電線ケーブルで接続する構造となっていた。
【０００３】
図４は従来の電気設備の設置構造を示す斜視図である。図４に示すように、従来は高圧電源部などの電気装置を内部に収納した装置収納箱１が単独で設置されている。また、内部に送配電線を接続する端子台を取り付けた配電箱２が装置収納箱１から離れた位置に同じく単独で設置されている。また、この装置収納箱１と配電箱２との間に電線ケーブル３ａが配線されている。
【０００４】
そして、装置収納箱１の上面には開閉可能に蓋５ａが設けられ、同じく配電箱２の側面にも開閉可能に蓋５ｂが設けられ、内部の保守点検などができるようになっている。また、装置収納箱１及び配電箱２の電線ケーブル３ａが貫通する部分には、電線貫通金具４がはめ込まれている。この電線貫通金具４の内部に電線ケーブル３ａを通し、箱内に水分が浸入しないようにパッキン、シリコンゴムなどによって電線ケーブル３ａを締結した防水用のシール構造が施されている（例えば、特許文献１参照。）。そして、これらの装置収納箱１及び配電箱２は屋外に設置されることが多いため、電線ケーブル３ａが貫通する部分の防水構造には十分な配慮がなされている。
【０００５】
【特許文献１】実開平０５−０１１４８３号公報
【発明の開示】
【発明が解決しようとする課題】
【０００６】
このような従来の電気設備の設置構造は、以下のような問題点が発生している。まず、第１の問題は、設置された装置収納箱１及び配電箱２に配線を施す場合、電線貫通金具、電線ケーブルのチューブ、パッキン、シリコンゴム等が劣化していると、これらの防水構造部分に小さな隙間やひび割れが発生し、そこから水滴や水蒸気等が内部に入り込むため長期間使用するうちに装置収納箱１及び配電箱２に浸水が起こるという問題である。
【０００７】
また、第２の問題は、装置収納箱１及び配電箱２を別々に設置しなければならなかったため、基礎工事を含めて設置工事に係る負担が大きくなり、工数的にも費用的にも無駄の多い設置構造を採らざるを得なかったという問題である。
【０００８】
これら２つの問題点に対する解決策として、装置収納箱１及び配電箱２を合体させて接合部の隔壁を取り払い、開閉蓋も上部１個所とし、２つの箱を１つにまとめて電線ケーブル３ａが外部露出しないようにした構造の電気設備が提案されている。
【０００９】
しかし、この電気設備は、図５の透視図に示すように内部に端子台７と電気装置６が同居する構造となるため、端子台７を設けて配線するものについては配電時の作業性が悪くなる。また、電線ケーブル３ａを外部露出しないようにしても電線ケーブル３ｂは依然として残るため、前述した第１の問題点と同様、電気装置への浸水の問題は解消されていない。さらに、配電作業のみを行う場合でも開閉蓋５を開かなければならないため、雨の日には配電作業の確認ができない等の問題がある。
【００１０】
本発明は上記の問題点を解決するためになされたもので、装置収納箱１と配電箱２とを接続していた電線ケーブルを外部露出しないようにすることによって、電線ケーブル接続部からの浸水を防止するとともに、基礎工事を含む設備設置工事を簡略化することによって工事負担の軽減を図ることを目的とする。
【課題を解決するための手段】
【００１１】
本発明の配電部付電気装置収納筐体は、電気装置を収納した装置収納部と、収納した電気装置との間を送配電線で接続するための端子台を備えた配電端子収納部との２部屋を有し、この２部屋を接合して一体の筐体を構成し、それぞれの部屋は独立した蓋を持ち、前記装置収納部と配電端子収納部との接合部は隔壁で仕切られ、この隔壁を貫通する送配電線により前記電気装置と端子台とが接続され、送配電線が隔壁を貫通する部分は前記筐体内にあって外部露出していない構造としたものである。
【００１２】
また、本発明の配電部付電気装置収納筐体に係る前記蓋は、装置収納部の上面と配電端子収納部の側面の２個所に設置され、それぞれ独立して開閉可能とし、また、前記隔壁を貫通する送配電線は、隔壁に設けられた電線貫通金具を通して配線されており、また、前記隔壁に設けられた電線貫通金具は前記筐体内に密閉配置され、前記装置収納部を防水構造としている。
【００１３】
また、本発明の配電部付電気装置収納筐体は、前記配電端子収納部の底面に電線貫通金具を設け、この電線貫通金具を通して外部からの入出力配線が端子台に接続され、また、前記隔壁に電源線のわたり配線用の電線貫通金具を設け、複数台の電気装置の使用を可能としている。
【００１４】
また、本発明の電気設備は、前記装置収納部に収納された電気装置と、前記配電端子収納部に収納された端子台と、この電気装置及び端子台を収納した筐体とを含む電気設備であって、前記筐体は前記配電部付電気装置収納筐体であることを特徴としている。
【発明の効果】
【００１５】
本発明の配電部付電気装置収納筐体は、装置収納部と配電端子収納部の２部屋を持ち、それぞれの部屋は独立した蓋を持ち、また、それぞれの部屋を接合させてその接合部である隔壁に送配電線を通して配電されるようになっている。そのため、従来のように装置収納箱と配電箱とを接続していた電線ケーブルを外部露出しないようにすることができるとともに、送配電線が隔壁を貫通する部分も筐体内設置となって外部露出されなくなり、装置収納部への浸水を防止することができる。
【００１６】
また、本発明によれば、従来のように装置収納箱と配電箱の２つを必要としないため、基礎工事を含む設備設置工事を簡略化することが可能となり、工事負担の軽減を図ることができる。
【発明を実施するための最良の形態】
【００１７】
次に、本発明の実施の形態について図面を参照して説明する。図１は本発明の一実施の形態を示す斜視図である。図１に示すように、本発明の配電部付電気装置収納筐体は、内部に電源部等の電気装置を収納する装置収納部１１と、同じく内部に配電端子台を有する配電端子収納部１２とを接合して一体構造の筐体とし、装置収納部１１と配電端子収納部１２との接合部は隔壁１８で仕切られている。また、装置収納部１１の上面には装置収納部の蓋１５ａが設けられ、配電端子収納部１２の側面には配電端子収納部の蓋１５ｂが設けられている。
【００１８】
このように、本発明の配電部付電気装置収納筐体は、電線の配線を必要とする電気装置を収納する部屋（装置収納部１１）と端子台が配置される部屋（配電端子収納部１２）の２部屋を接合して持ち、それぞれの部屋は独立した蓋（１５ａ、１５ｂ）を持ち、また、それぞれの部屋の接合部である隔壁１８を貫通する電線貫通金具（図示せず）を通して配電されるようになっている。
【００１９】
次に、図２の内部透視図を用いて装置収納部１１の構造を詳細に説明する。図２に示すように、装置収納部１１には主に絶縁不良を嫌う高圧の電源部等の電気装置１６が収納配置され、上面には蓋１５ａを有し、配電端子収納部との接合部である隔壁１８には電線貫通金具１４ａが貫通して取り付けられ、その中を電線ケーブル１３ａが通っている。隔壁１８は配電端子収納部との共通接合部であるため電線貫通金具１４ａは筐体内の設置が可能となり、外部露出を防ぐ構造となっている。
【００２０】
次に、図３を用いて配電端子収納部１２の構造を詳細に説明する。図３は蓋１５ｂ側から見た内部透視図である。図３に示すように、配電端子収納部１２は内部に端子台１７が内蔵され、端子台１７には、装置収納部との間の隔壁１８に取り付けられた電線貫通金具１４ａを通した電線ケーブル１３ａと、配電端子収納部１２の底面に取り付けられた電線貫通金具１４ｂを通して外部に接続される電線ケーブル１３ｂとが配線接続されている。電線ケーブル１３ａは装置収納部からの送電線であり、電線ケーブル１３ｂは外部との入出力の電源線、信号線である。
【００２１】
以上述べてきたように、本発明の一実施の形態によれば、装置収納部と配電端子収納部間の送電部分である電線貫通金具は、筐体内に設置されて外部に露出されることがなくなる。そのため、従来のような電線貫通金具が外部に設置される場合と比較して経時変化による電線貫通金具部分のパッキン、シリコンゴム等の劣化が抑止される。また、電線貫通金具自体の不良、劣化による不具合や電線ケーブル自体の不良、劣化による不具合の発生も抑止される。その結果、電線貫通金具部分からの浸水を防ぐことができ、装置収納部を防水構造とすることができる。
【００２２】
また、従来構造において装置収納箱内に配電箱の機能を取り込んだ場合（図５）には、設置工事の時の配線及び定期点検時の配線チェック等の作業性が低下するという問題があった。本実施の形態では、装置収納部と配電端子収納部をそれぞれ独立して配置し、それぞれに独立して開閉可能な蓋を設けたため、装置収納部の蓋を開けずに配電端子収納部の蓋のみを開けることによって配電部の作業を行うことができる。そのため、作業中に電気装置との間で発生する思わぬトラブル（感電等）を回避することができ、より安全性の高い作業が可能となる。
【００２３】
また、従来構造において電気装置を複数台使用する場合には、装置収納箱と配電箱との間にわたり配線が必要であったが、本実施の形態によれば、わたり配線用の電線ケーブルも外部露出しないで済むため浸水が防止され、わたり配線を必要とする電気装置の配電には特に有効である。
【００２４】
以上述べてきたように、本発明によれば、配電箱としての機能を損なうことなく装置収納部の防水性をより高めることができる。
【産業上の利用可能性】
【００２５】
本発明の配電部付電気装置収納筐体及び電気設備は、配電端子収納部の配電作業中は装置収納部の蓋を開く必要がないため、装置収納部への水分の浸入を防止するだけでなく塵埃等の入り込みも防ぐことができる。また、本発明は、防水機能を備えたことによって屋内、屋外のいずれでも設置が可能である。
【図面の簡単な説明】
【００２６】
【図１】本発明の一実施形態を示す斜視図である。
【図２】本発明の一実施形態に係る装置収納部の内部透視図である。
【図３】本発明の一実施形態に係る配電端子収納部の内部透視図である。
【図４】従来の電気設備の配置を示す斜視図である。
【図５】従来の他の電気設備の構造を示す内部透視図である。
【符号の説明】
【００２７】
１    装置収納箱
２    配電箱
３ａ、３ｂ    電線ケーブル
４    電線貫通金具
５、５ａ、５ｂ    蓋
６    電気装置
７    端子台
１１    装置収納部
１２    配電端子収納部
１３ａ、１３ｂ    電線ケーブル
１４ａ、１４ｂ    電線貫通金具
１５ａ    装置収納部の蓋
１５ｂ    配電端子収納部の蓋
１６    電気装置
１７    端子台
１８    隔壁
【図１】
2005245102.tif 000003
【図２】
2005245102.tif 000004
【図３】
2005245102.tif 000005
【図４】
2005245102.tif 000006
【図５】
2005245102.tif 000007